(57)【要約】【課題】嫌気性細菌の巣である歯垢を効果的に除去できる口腔衛生器具を提供する。【解決手段】歯ブラシ器１を、歯ブラシ本体３と、この歯ブラシ本体３に酸素を供給するための酸素ボンベ５（酸素供給源）と、から構成し、歯ブラシ本体３を、把持部７と、この把持部７の先端に頚部９を介して設けた頭部１１と、この頭部１１に設けた刷毛の束１５と、から構成する。酸素ボンベ５を、酸素供給チューブ１７及びコネクタ１９を介して把持部７の後端部に接続する。【選択図】図１
2020203062.tif 000002
【特許請求の範囲】
【請求項１】
口腔衛生器具であって、
歯と歯の間又は歯と歯茎の間に差し込んで歯垢を掻き出すための線状部材又は針状部材と、
前記線状部材又は針状部材の先端部から酸素を供給するための酸素供給源と、を備えることを特徴とする口腔衛生器具。
【請求項２】
請求項１記載の口腔衛生器具であって、
さらに、
前記線状部材又は針状部材の先端部に設けられた冷却水吐出口又は洗浄水吐出口と、
前記冷却水吐出口又は洗浄水吐出口から冷却水又は洗浄水が吐出されるように前記線状部材又は針状部材に冷却水又は洗浄水を供給する冷却水供給源又は洗浄水供給源と、を備え、
前記酸素供給源は、前記冷却水吐出口又は洗浄水吐出口から吐出される前記冷却水又は洗浄水に酸素を混合しておくためのものである、ことを特徴とする口腔衛生器具。
【請求項３】
請求項１記載の口腔衛生器具であって、
さらに、
前記線状部材又は針状部材の先端部に設けられた酸素吐出口を備え、
前記酸素供給源は、前記酸素吐出口から酸素が吐出されるように前記線状部材又は針状部材に酸素を供給する、ことを特徴とする口腔衛生器具。
【請求項４】
前記冷却水供給源又は洗浄水供給源と前記線状部材又は針状部材との間にはベンチュリーを有する接続部材が設けられ、前記酸素供給源は、前記ベンチュリーに前記酸素を供給して前記ベンチュリーを流れる前記冷却水又は洗浄水に前記酸素を混合する、ことを特徴とする請求項２記載の口腔衛生器具。
【請求項５】
前記酸素供給源から前記冷却水又は洗浄水に混合される酸素は酸素バブルである、ことを特徴とする請求項２又は４記載の口腔衛生器具。
【請求項６】
前記冷却水吐出口又は洗浄水吐出口は、前記線状部材又は針状部材の先端及び先端よりも後方に設けられている、ことを特徴とする請求項２、４又は５記載の口腔衛生器具。
【請求項７】
請求項６記載の口腔衛生器具であって、
さらに、
前記線状部材又は針状部材の先端部よりも後側に設けられた冷却水用吐出口又は洗浄水用吐出口と、
前記酸素供給源に接続され、前記線状部材又は針状部材の先端部まで延びるように前記線状部材又は針状部材の内部に設けられた酸素チューブと、を備え、
前記冷却水供給源又は洗浄水供給源からの冷却水又は洗浄水は前記線状部材又は針状部材の後端側から供給される、ことを特徴とする口腔衛生器具。
【発明の詳細な説明】
【技術分野】
【０００１】
本発明は歯ブラシや歯科用スケーラなどの口腔衛生器具に関する。
【背景技術】
【０００２】
歯肉炎や歯周炎などの歯周病の原因は細菌の巣である歯垢であるが、歯垢内の細菌はほとんどが嫌気性であるため、この歯垢は酸素の少ない歯と歯の間及び歯と歯茎の隙間に多く付着している。歯周病を予防するにはこの歯垢を口腔から除去する必要があるが、歯垢は除去しにくい所に付着するため、家庭用の歯ブラシでは十分に除去できないおそれがある。したがって、定期的に歯科医院でスケーラにより歯垢を取り除いてもらう必要がある。
【０００３】
歯科医院で使用するスケーラとしては下記の特許文献１乃至特許文献７に示すようなものが知られている。特許文献１及び特許文献３に示すスケーラは針状部材を有する超音波振動式のものであり、特許文献２、特許文献４乃至特許文献６に示すスケーラは先端側から歯や歯茎に向けて注水が可能な針状部材を有する空気振動式のものであり、特許文献７に示すものは注水手段を有するスケーラ及び空気研磨インサートである。
【先行技術文献】
【特許文献】
【０００４】
【特許文献１】特表２００７−５０９７１４号公報
【特許文献２】実開昭５８−１２０７１５号公報
【特許文献３】特開平０７−２７５２６１号公報
【特許文献４】特開２００４−３５１０８６号公報
【特許文献５】特開２００４−３５１１０４号公報
【特許文献６】特開２００４−３５１１２０号公報
【特許文献７】特開昭６３−２９６７４７号公報
【発明の概要】
【発明が解決しようとする課題】
【０００５】
しかしながら、上述の特許文献に記載された口腔衛生器具は、歯周病の原因である歯垢は嫌気性細菌の巣であるという知見に基づき、歯垢のこの性質を利用して歯垢をよりよく除去できるように構成されたものではない。
【０００６】
そこで本発明は、嫌気性細菌の巣である歯垢を効果的に除去できる口腔衛生器具の提供を目的とする。
【課題を解決するための手段】
【０００７】
この目的を達成するための本発明の口腔衛生器具は、口腔衛生器具であって、歯を擦るための又は歯を引掻くための線状部材又は針状部材を備え、前記線状部材又は針状部材の先端部から空気又は酸素が供給されるように構成されているものである。より具体的には、口腔衛生器具であって、歯を擦るための又は歯を引掻くための線状部材又は針状部材と、前記線状部材又は針状部材の先端部に設けられた空気吐出口又は酸素吐出口と、前記空気吐出口又は酸素吐出口から空気又は酸素が吐出されるように前記線状部材又は針状部材に空気又は酸素を供給する空気供給源又は酸素供給源と、を備えるものである。あるいは、口腔衛生器具であって、歯と歯の間又は歯と歯茎の間に差し込んで歯垢を掻き出すための線状部材又は針状部材と、前記線状部材又は針状部材の先端部から酸素を供給するための酸素供給源と、を備えるものである。ここでは、さらに、線状部材又は針状部材の先端部に設けられた酸素吐出口を備え、酸素供給源は、酸素吐出口から酸素が吐出されるように線状部材又は針状部材に酸素を供給するものとすることができる。
【０００８】
本発明の口腔衛生器具はまた、口腔衛生器具であって、歯を擦るための又は歯を引掻くための線状部材又は針状部材と、前記線状部材又は針状部材の先端部に設けられた冷却水吐出口又は洗浄水吐出口と、前記冷却水吐出口又は洗浄水吐出口から冷却水又は洗浄水が吐出されるように前記線状部材又は針状部材に冷却水又は洗浄水を供給する冷却水供給源又は洗浄水供給源と、前記冷却水吐出口又は洗浄水吐出口から吐出される前記冷却水又は洗浄水に空気又は酸素を混合しておくための空気供給源又は酸素供給源と、を備えるものとして構成できる。空気供給源又は酸素供給源から冷却水又は洗浄水に混合される空気又は酸素は空気バブル又は酸素バブルであることが効果的である。ここでも、線状部材又は針状部材の先端部から空気又は酸素が供給されるが、例えば、冷却水吐出口又は洗浄水吐出口のすべてから空気又は酸素が混合された冷却水又は洗浄水を吐出するように構成できるし、一部から空気又は酸素が混合された冷却水又は洗浄水を吐出し、他からは空気又は酸素が混合されていない冷却水又は洗浄水を吐出するように構成できる。あるいは、口腔衛生器具であって、歯と歯の間又は歯と歯茎の間に差し込んで歯垢を掻き出すための線状部材又は針状部材と、前記線状部材又は針状部材の先端部から酸素を供給するための酸素供給源と、を備えていて、さらに、前記線状部材又は針状部材の先端部に設けられた冷却水吐出口又は洗浄水吐出口と、前記冷却水吐出口又は洗浄水吐出口から冷却水又は洗浄水が吐出されるように前記線状部材又は針状部材に冷却水又は洗浄水を供給する冷却水供給源又は洗浄水供給源と、を備え、前記酸素供給源は、前記冷却水吐出口又は洗浄水吐出口から吐出される前記冷却水又は洗浄水に酸素を混合しておくためのものである、というように構成できる。
【０００９】
冷却水供給源又は洗浄水供給源と線状部材又は針状部材との間にベンチュリーを有する接続部材を設けておき、空気供給源又は酸素供給源が、ベンチュリーに空気又は酸素を供給してベンチュリーを流れる冷却水又は洗浄水に空気又は酸素を混合するように構成できる。空気供給源又は酸素供給源から冷却水又は洗浄水に混合される空気又は酸素は空気バブル又は酸素バブルであることが効果的である。
【００１０】
冷却水吐出口又は洗浄水吐出口は複数設けることができ、線状部材又は針状部材の先端及び先端よりも後方の先端部に設けることができる。ここではさらに、線状部材又は針状部材の先端部よりも後側に設けられた冷却水用吐出口又は洗浄水用吐出口と、酸素供給源に接続され、線状部材又は針状部材の先端部まで延びるように線状部材又は針状部材の内部に設けられた酸素チューブと、を備え、冷却水供給源又は洗浄水供給源からの冷却水又は洗浄水は線状部材又は針状部材の後端側から供給される、というように構成できる。
【００１１】
本発明では、例えば、歯と歯茎の隙間に刷毛（例えば線状部材）の先又はスケーラ（例えば針状部材）の先が入ったときにこの隙間に空気又は酸素を吹き付けることができる。したがって、歯垢を掻き出すと共に歯垢の嫌気性細菌を死滅させることができる。
【００１２】
ところで、冷却水や洗浄水に空気又は酸素を混合して線状部材又は針状部材の吐出口まで送る場合、酸素等は洗浄水等内にバブルとなって混入するのが普通であると考えられる。酸素等のバブル又は気泡は洗浄水等内にあるときには浮力により上昇するが、上昇速度は２０℃の水において次の式（Ｓｔｏｋｅｓの式）で表される。
【００１３】
Ｕ＝ρｇｄ２／１８μ              
Ｕ：上昇速度
ρ：液密度（＝１）
ｇ：重力加速度
ｄ：気泡径
μ：動的粘性係数（＝１）
【００１４】
したがって、酸素等のバブルの液体内での上昇速度は気泡径の２乗に比例するので、バブルが直径１μｍ乃至１００μｍのマイクロバブルの場合には上昇速度が小さくて液体内で長時間漂うこととなる。そうすると、吐出口に達する前にバブルは水圧又は液圧によって消滅（溶解）又は圧壊するおそれがあるので、歯垢に空気又は酸素が供給されにくくなったり供給されなくなってしまう可能性がある。ところが、直径１００μｍのバブルは１秒で５．４４ｍｍ上方に浮き上がる。ここで、冷却水吐出口又は洗浄水吐出口と、冷却水や洗浄水に空気又は酸素を供給する位置との間の距離が約２．５ｍ、水の流速が２．５ｍ／ｓの場合には、空気供給又は酸素供給の位置から１秒で冷却水等は吐出口に到達することとなるが、その間にバブルは５．４４ｍｍ上昇し、多くのバブルが気液界面でちょうど破裂するとき、気液界面でちょうど破裂したとき、又は破裂直前ということになるように構成できる。そうすると、破裂したバブル又は破裂するバブルが歯垢に吹き付けられて供給されることとなる。あるいは、酸素等のバブルが冷却水等に混合されてから１秒で吐出口に達するとすると、直径４０μｍのバブルではこの間に０．８７ｍｍしか上昇しない。ここで吐出口の直径が１ｍｍ乃至２ｍｍであると、吐出位置で大気拡散されていない酸素等が冷却水等の中に多く残っていて、酸素等による歯垢の除去又は死滅に十分な効果を期待できないおそれがある。したがって、混合される又は混合時に生じる酸素等のバブルの直径は平均１００μｍであるか又は平均１００μｍを超えていることが好ましく、最低でも平均６０μｍ以上の直径が必要である。あるいは、酸素等のバブルの上昇速度を５．４４ｍｍ／秒、流水路（管）内径（直径）３ｍｍ、流水路（管）の長さ（例えばバブル混合位置から吐出口までの長さ）Ｌｍ、水流の速度４．５ｍ／秒とすると、バブル混合位置の最下部で発生したバブルが流水路上部にとどく時間は約０．５５秒であるから、流水路の長さＬが約２．５ｍであれば、吐出口に到達したバブルは全体的に流水路上部に達している。また、バブル混合位置の約２．４ｍｍの深さで発生したバブルが流水路上部にとどく時間は約０．４４秒であるから、流水路の長さＬが約２ｍであれば、吐出口に到達したバブルの多くが流水路上部に達している。そして、バブル混合位置の約１．５ｍｍの深さで発生したバブルが流水路上部にとどく時間は約０．２８秒であるから、流水路の長さＬが約１．２６ｍであれば、吐出口に到達したバブルの例えば半分程度が流水路上部に達している。
【００１５】
したがって、流水路の長さを調整することにより最適量の空気又は酸素を口腔内に供給できる。
【００１６】
バブルの発生装置には旋回液流式、スタティックミキサー式及びエジェクター式などがあるが、発生バブルの平均直径は４０μｍ乃至８０μｍ程度である。したがって、平均直径１００μｍ以上又は１００μｍ超えのバブルを生じさせるにはベンチュリー方式が最適である。
【００１７】
ここでは、酸素等のバブルの大気拡散するまでの時間と吐出口到達時間が一致すると、酸素等のバルブは吐出口で大気拡散し、例えば１０００倍の質量差がある洗浄水や冷却水に押されて歯浩に十分供給される。したがって、浮力による上昇速度が大きい大径のバブルを発生させる必要があるが、気泡の表面はＯＨ−イオンが集積しやすく負に帯電しているため、小さな気泡が合わさって大きな気泡が生じる可能性は少ない。逆に、大きい気泡は圧力変動により細かく分割されて小さな気泡となる。例えばベンチュリー管では、管径が絞られて圧力が低減するベンチュリー個所を水流が通過するときに大きな気泡が発生し、その後の管径が拡大し、圧力が急に上昇する個所を水流が通過するときに大きな気泡は崩壊して小さな気泡となる。したがって、空気バブル又は酸素バブルを大径のものとするためには混入時に大きなバブルを生じさせなければならないことが理解でき、しかも大きなバブルを生じさせるためには圧力の低い個所でのバブルの混入が必要であることが理解できる。
【００１８】
以上のように、大きなバブルを発生させるには、ベンチュリー機構を利用し、高速で流れる洗浄液又は冷却水に低圧で酸素又は空気を供給するのが効果的である。そして、直径１００μｍ以上の又は１００μｍを超える酸素等のバブルを確保するためには、ベンチュリーで発生させるバブルの直径を、例えば１５０μｍ乃至２００μｍといった確保したいバブルの直径よりも大きなものとする必要がある。
【発明の効果】
【００１９】
本発明によれば歯と歯の間及び歯と歯茎の間に線状部材又は針状部材を入り込ませながら歯垢に酸素を当てることができる。
【図面の簡単な説明】
【００２０】
【図１】本発明に係る歯ブラシ器の斜視図である。
【図２】歯ブラシ器の先端側の拡大図である。
【図３】植毛部に刷毛の束を取り付ける過程を示す図である。
【図４】植毛部にチャンバケースを取り付けた場合を示す図である。
【図５】歯ブラシ器の使用状態を説明する図である。
【図６】刷毛の先端部が曲がるように変形した場合を示す図である。
【図７】矯正器を用いて刷毛の先端部を矯正する場合を示す図である。
【図８】本発明に係る手動スケーラ器具を説明する図である。
【図９】手動スケーラ器具の変更例を示す図である。
【図１０】酸素混合用Ｔ字コネクタの断面図である。
【図１１】酸素混合用Ｔ字コネクタの変更例を概略的に示す図である。
【図１２】本発明に係る第１の振動スケーラ器具を示す図である。
【図１３】第１の振動スケーラ器具の把持部の断面図である
【図１４】第１の振動スケーラ器具の変更例を示す図である。
【図１５】本発明に係る第２の振動スケーラ器具を説明する図である。
【図１６】第２の振動スケーラ器具の把持部の断面図である。
【図１７】第２の振動スケーラ器具の変形例を説明する図である。
【発明を実施するための形態】
【００２１】
以下、図面を参照して本発明の実施の形態を説明する。
【００２２】
まず、図１乃至図７を参照して本発明の口腔衛生器具の第１の実施の形態である歯ブラシ器（歯ブラシ型の口腔衛生器具）について説明する。
【００２３】
歯ブラシ器１は、歯ブラシ本体３と、この歯ブラシ本体３に酸素を供給するための酸素ボンベ（酸素缶）５（酸素供給源）と、を備え、歯ブラシ本体３は、把持部７と、この把持部７の先端に頚部９を介して設けられた頭部１１と、この頭部１１の表面側に複数個形成された植毛孔１３と、それぞれの植毛孔１３に植え付けられ、この植毛孔１３から立ち上がって延びる刷毛の束（極細のナイロンチューブの束）１５と、を有していて、酸素ボンベ５は、酸素供給チューブ１７及びコネクタ１９を介して把持部７の後端部に接続されている。なお、図１では刷毛の束１５の表示を一部省略している。
【００２４】
頭部１１は、刷毛の束１５が植え付けられた植毛孔１３が形成されている植毛部２１と、この植毛部２１にガスケット２３を介して取り付けビス２５により取り付けられた、植毛部２１の裏面側に酸素チャンバ２７を形成しているチャンバケース２９と、を有していて、植毛部２１の後端部には頚部９の先端部が一体的に接続されている。把持部７及び頚部９内には把持部７の後端部から頚部９の先端まで延びるように酸素供給路３１が形成され、この酸素供給路３１の先端は酸素チャンバ２７に開口し、又は酸素チャンバ２７に連通し、酸素供給路３１の後端部はコネクタ１９を介して酸素供給チューブ１７に接続されている。
【００２５】
植毛部２１の植毛孔１３に植え付けられている刷毛の束１５の下端部又は基端部はそれぞれ、植毛孔１３から酸素チャンバ２７内に突出していて、刷毛の束１５のそれぞれの刷毛（極細のナイロンチューブ）３３（線状部材）は酸素吐出貫通路３５を有する両端開口の線状体として形成され、内径はほぼ０．２ｍｍ（直径）、外径はほぼ０．４ｍｍ（直径）とすることができる。刷毛の束１５を植毛部２１の植毛孔１３に植え付けるには、チャンバケース２９を取り付けるに先立って、例えば１０本の刷毛部材３７（貫通路を有する両端開口の線状体）を２つ折りにし、刷毛部材３７の折り返し部３９を植毛孔１３から裏側に突出するように押し込み冶具４１を使って押し込み、その後、折り返し部３９を切断し（符号４３参照）、例えば２０本の両端開口の刷毛の束１５又は酸素吐出貫通路３５を有する両端開口の刷毛３３を形成するといった方法を採用することができる。なお、刷毛の束１５が植毛孔１３から抜けないように、植毛孔１３の裏側の周囲と刷毛部材３７又は刷毛３３との間を接着剤４５で接着しておいてもよい。そして、植毛部２１の植毛孔１３の全てに刷毛の束１５を植え付けた状態としたら植毛部２１にチャンバケース２９を取り付ける（図４）。
【００２６】
このような構成の歯ブラシ器１は、歯ブラシ本体３を口腔内に差し込み、図５に示すように刷毛の束１５の刷毛３３で歯Ａや歯茎Ｂを擦って使用するが、あるいは刷毛３３又は刷毛３３の先端部を歯Ａと歯Ａの間又は歯Ａと歯茎Ｂの間に入れて歯垢を掻き出すように使用するが、使用の際に酸素ボンベ５から供給される酸素又は圧縮酸素が刷毛３３の先端開口４７（酸素吐出口）から歯Ａや歯茎Ｂ、そして歯Ａと歯茎Ｂと間の歯周ポケットＣに噴き付けられて、擦り落としにくい歯垢や掻き出しにくい歯垢の嫌気性細菌を死滅させる。
【００２７】
なお、図６に示すように使用の繰り返しにより刷毛３３の先端部が曲がるように変形した場合には、図７ａに示すような環状の矯正器４９を用いて刷毛３３の先端部を矯正することができる。矯正器４９は、環状体を半割にした２つの矯正部材５１の一端部同士をヒンジ連結（符号５３参照）すると共に、２つの矯正部材５１の他端部同士をスナップ接続（図７ｂの符合５５参照）できるように構成したものであり、２つの矯正部材５１を開いた状態で刷毛の束１５の外側に配置し、刷毛の束１５全体が２つの矯正部材５１で覆われるように２つの矯正部材５１を閉じた状態として他端部同士を接続して使用する（図７ｂ）。好ましくは、この状態で矯正部材５１個所を例えば１００℃の水の中に所定時間、例えば１分から２分間浸し、その後冷却、例えば常温の水に浸し、これにより塑性変形してしまった刷毛３３を元の直線状の弾性体に効果的にもどすことが可能となる。刷毛３３の変形した先端部は矯正器４９の内面に押されて矯正される。
【００２８】
次に、図８を参照して本発明の口腔衛生器具の第２の実施の形態である手動スケーラ器具について説明する。
【００２９】
手動スケーラ器具５７は、スケーラ本体５９と、このスケーラ本体５９に酸素を供給するための酸素装置６１（酸素供給源）と、を具備し、スケーラ本体５９は、把持部６３と、この把持部６３の先端に接続された金属製のスケーラ６５（針状部材）と、を備え、酸素装置６１としては、空気を吸引し、高濃度の酸素を排気する酸素濃縮器６７と酸素ボンベ６９とのいずれか一方を使用できる。酸素装置６１は酸素供給チューブ７１及びコネクタ７３を介して把持部６３の後端部に接続されている。酸素供給チューブ７１はポリエーテルエーテルケトン樹脂（ＰＥＥＫ）を用いて押し出し成形したものを使用することができ、内径（直径）１．６ｍｍ乃至２．０ｍｍとすることができる。把持部６３内には把持部６３の後端部から先端部まで延びるように酸素供給路７５が形成され、この酸素供給路７５の後端部はコネクタ７３を介して酸素供給チューブ７１に接続されている。把持部６３の後端部には酸素流量調整回転環７７が設けられ、この酸素流量調整回転環７７を回転操作して酸素供給チューブ７１から酸素供給路７５に供給される圧縮酸素量を調整することができる。
【００３０】
金属製のスケーラ６５は、後端部が把持部６３の先端部に接続された直線状に延びる基部７９と、この基部７９の先端部に一体的に又は接続して設けられた、基部７９に対して角度を有して短く直線状に延びる頚部８１と、この頚部８１の先端からほぼ直角に曲がるように一体的に又は接続して設けられた刃先部８３（スケーラ６５の先端部でほぼ８ｍｍ乃至１２ｍｍの長さを有している）と、を備えていて、刃先部８３の先端（スケーラ６５の先端）は鋭利に尖り、刃先部８３の内側にはカッティングエッジ８５が形成されている。スケーラ６５内には、後端部から先端部又は先端まで貫通する酸素通過路８７が形成され、この酸素通過路８７の後端部は酸素供給路７５の先端部に接続されていて、酸素通過路８７の先端部は、刃先部８３の先端で開口する先端酸素排出路８９と、カッティングエッジ８５の一方の傾斜面９１で開口するエッジ酸素排出路９３と、カッティングエッジ８５の反対側（刃先部８３の外側）で開口する底面酸素排出路９５とに分岐している。すなわち、スケーラ６５の先端部では３つの酸素排出路８９、９３、９５がそれぞれ開口している（それぞれの開口は酸素吐出口を構成する）。ここでは、スケーラ６５は中空状に形成され、酸素通過路８７、先端酸素排出路８９、エッジ酸素排出路９３及び底面酸素排出路９５はパイプ状に形成されているが、図８（ｃ）に示すように、スケーラ６５を全体的に中実状に形成し又は先端側を中実状に形成し、酸素通過路８７（先端側を中実状に形成する場合には先端側の部分）、先端酸素排出路８９、エッジ酸素排出路９３、底面酸素排出路９５をスケーラ６５又は刃先部８３内に形成された細長い孔とすることもできる。
【００３１】
このような構成の手動スケーラ器具５７は、例えばスケーラ６５の刃先部８３を歯と歯の間や歯と歯茎の間の歯周ポケットに差し込み、カッティングエッジ８５で歯垢を掻き出すようにして使用するものであるが、使用に際して、刃先部８３の先端で先端酸素排出路８９から、刃先部８３の長さ方向中央部でエッジ酸素排出路９３及び底面酸素排出路９５から酸素が供給されるので（図８（ａ）の矢印参照）、擦り落としにくい歯垢や掻き出しにくい歯垢の嫌気性細菌を死滅させる。
【００３２】
図９及び図１０は手動スケーラ器具５７の変更例を示す図である。
【００３３】
手動スケーラ器具５７の変更例９７は、把持部６３内に酸素を供給して刃先部８３から排出する代わりに、酸素を混合した洗浄水を把持部６３内に供給して刃先部８３から排出するものであり、ここでは、手動スケーラ器具５７と同一の構成個所には同一の符号を付して説明を省略したり簡略化したりする。なお、洗浄水の代わりに冷却水を用い、酸素を冷却水に混合して使用してもよい。
【００３４】
酸素を洗浄水に混合して把持部６３に供給するには、酸素濃縮器６７又は酸素ボンベ６９を有する酸素装置６１（図８に示す酸素装置６１と同じ構成）と、洗浄水供給装置９９と、酸素混合用Ｔ字コネクタ１０１とを使用する。酸素混合用Ｔ字コネクタ１０１は、洗浄水供給装置９９から延びる洗浄水供給チューブ１０３が外周に嵌め付けられた長さ方向一方側の第１の接続部１０５及び酸素混合洗浄水チューブ１０７が外周に嵌め付けられた長さ方向他方側の第２の接続部１０９を有する直管部１１１と、この直管部１１１の長さ方向中間に接続して設けられた、酸素ボンベ６９から延びる酸素供給チューブ７１が外周に嵌め付けられている第３の接続部１１３を有する混合部１１５と、を備えている。酸素混合洗浄水チューブ１０７は把持部６３のコネクタ７３に接続されて酸素混合洗浄水を洗浄水供給路７５（構造は酸素供給路７５と同じ）に供給する。把持部６３の後端部には洗浄水流量調整回転環７７（構造は酸素流量調整回転環７７と同じ又は同様）が設けられ、この洗浄水流量調整回転環７７を回転操作して酸素混合洗浄水チューブ１０７から洗浄水供給路７５に供給される洗浄水量を調整することができる。酸素混合洗浄水チューブ１０７は内径（直径）６ｍｍ乃至１２ｍｍとすることができる。また、洗浄水供給路７５の内径（直径）は１．６ｍｍ乃至６．０ｍｍとすることができる。
【００３５】
酸素混合用Ｔ字コネクタ１０１の直管部１１１の内部には長さ方向に貫通する洗浄水通過孔１１７が形成され、混合部１１５には先端から長さ方向に延びる酸素通過孔１１９が形成されている。直管部１１１の洗浄水通過孔１１７は、一端側から長さ方向中間部に向かって漸次縮径する一方側テーパ孔１２１と、他端側から長さ方向中間部に向かって漸次縮径する他方側テーパ孔１２３と、を有しているが、直管部１１１の長さ方向中間部には、中心個所（中心の隙間）１２５が薄く、広い外周部分１２７を有する混合スペース１２９が形成されていて、一方側テーパ孔１２１と他方側テーパ孔１２３は中心個所１２５に開口することにより連通し、ベンチュリーを構成している。混合部１１５の酸素通過孔１１９は、細い先端側部１３１と、混合スペース１２９の外周部分１２７に連なる大径のバルブ収容部１３３と、先端側部１３１及びバルブ収容部１３３の間のテーパ状のバルブシート部１３５と、を有していて、バルブ収容部１３３内には、酸素ボンベ６９側のガス圧が低下したときに洗浄水に押されてバルブシート部１３５に押し付けられ、洗浄水が酸素供給チューブ７１内に流れ込まないようにするための逆止弁１３７が入れられている。
【００３６】
洗浄水供給装置９９は、洗浄水タンク１３９及びこの洗浄水タンク１３９内の洗浄水を洗浄水供給チューブ１０３に送り出す洗浄水ポンプ１４１を有し、洗浄水ポンプ１４１には、例えば、並列に流量調整弁１４３が配置されている。なお、洗浄水タンク１３９の出口にも、例えば、別の流量調整弁１４５が設けられている。
【００３７】
ここで、洗浄水供給装置９９から洗浄水供給チューブ１０３を介して直管部１１１に洗浄水を供給すると、洗浄水は一方側テーパ孔１２１を流れ、混合スペース１２９の中心個所１２５を通過して他方側テーパ孔１２３内に流入するが、ベンチュリー効果により混合スペース１２９の中心個所１２５の水圧は低下する。したがって、混合部１１５の酸素通過孔１１９から混合スペース１２９の外周部分１２７に供給される酸素は混合スペース１２９の中心個所１２５を通って洗浄水の流れと合流し、酸素混合洗浄水となって他方側テーパ孔１２３内に流れ込む。酸素が洗浄水の流れと合流する際に形成される酸素混合洗浄水は酸素の気泡又はバブルを含んだ洗浄水であるが、酸素の気泡の大きさは、酸素混合洗浄水がスケーラ６５の刃先部８３の先端洗浄水排出路８９（構造は先端酸素排出路８９と同じ）、エッジ洗浄水排出路９３（構造はエッジ酸素排出路９３と同じ）及び底面洗浄水排出路９５（構造は底面酸素排出路９５と同じ）の開口（それぞれの開口は洗浄水吐出口又は冷却水吐出口を構成する）から排出される際に酸素の気泡が、多く、より多く又は全体的に洗浄水から分離されるような大きさであることが好ましい。酸素の気泡は浮力により洗浄水中を上昇し、気液界面に達して酸素は洗浄水と分離されるが、酸素の気泡が小さすぎると（例えば直径４０μｍ以下、あるいは他方側テーパ孔１２３の内部又は出口で直径４０μｍ以下）、気泡に作用する浮力が小さいために上昇速度が低く、排出の際に多くの気泡が気液界面に達しないおそれがある。したがって、酸素の気泡の大きさは１００μｍ以上又は１００μｍを超えていること（例えば他方側テーパ孔１２３の内部又は出口で直径１００μｍ以上又は１００μｍを超えていること）が効果的である。
【００３８】
酸素混合用Ｔ字コネクタ１０１によるベンチュリー機構の仕様は以下の通りである。
【００３９】
混合部１１５の第３の接続部１１３を通過する際の酸素ガス圧：２．０ｋＰａ（１／５０気圧）
直管部１１１の第１の接続部１０５の給水口径（水流に回転を加えるための固定羽根１４７の内径）                                              ：直径８ｍｍ乃至１２ｍｍ
直管部１１１の第１の接続部１０５を通過する際の洗浄水圧  ：２００ｋＰａ
絞り部内径（一方側テーパ孔１２１及び他方側テーパ孔１２３の中心個所１２５での内径）                                                      ：直径２．４ｍｍ程度
他方側テーパ孔１２３の内部又は出口での急激な上昇後の圧力：１５０ｋＰａ
急激な圧力上昇後の酸素バブル径                          ：平均直径１００μｍ
洗浄水の流速                                            ：２．５ｍ／ｓ
【００４０】
なお、酸素混合用Ｔ字コネクタ１０１としては、図１１に概略的に示すように、一方側テーパ孔１２１と他方側テーパ孔１２３とを連続したものとして形成するとともに（中心個所１２５を形成しない）、混合部１１５を直管部１１１に対して傾斜させて構成し、酸素通過孔１１９を一方側テーパ孔１２１及び他方側テーパ孔１２３の境界個所に接続するようにしてもよい。ここでは、酸素通過孔１１９は直線状に形成され、酸素を洗浄水の流れる方向に傾けて供給する。
【００４１】
金属製のスケーラ６５は、基部７９、この基部７９の先端部に設けられた頚部８１及びこの頚部８１に設けられた刃先部８３（スケーラ６５の先端部）を備え、スケーラ６５内には、後端部から先端部又は先端まで貫通する洗浄水通過路８７（構造は酸素通過路８７と同じ）が形成され、この洗浄水通過路８７の後端部は洗浄水供給路７５の先端部に接続されていて、洗浄水通過路８７の先端部は、刃先部８３の先端（スケーラ６５の先端）で開口する先端洗浄水排出路８９（構造は先端酸素排出路８９と同じ）、カッティングエッジ８５の一方の傾斜面９１で開口するエッジ洗浄水排出路９３（構造はエッジ酸素排出路９３と同じ）及びカッティングエッジ８５の反対側（刃先部８３の外側）で開口する底面洗浄水排出路９５（構造は底面酸素排出路９５と同じ）に分岐している。すなわち、スケーラ６５の先端部では３つの洗浄水排出路８９、９３、９５がそれぞれ開口している（それぞれの開口は洗浄水吐出口又は冷却水吐出口を構成する）。洗浄水通過路８７の内径（直径）は１．６ｍｍ乃至６．０ｍｍとすることができる。
【００４２】
このような構成の手動スケーラ器具９７は、例えばスケーラ６５の刃先部８３を歯と歯の間や歯と歯茎の間の歯周ポケットに差し込み、カッティングエッジ８５で歯垢を掻き出すようにして使用するものであるが、使用に際して、刃先部８３の先端で先端洗浄水排出路８９から、刃先部８３の長さ方向中央部でエッジ洗浄水排出路９３及び底面洗浄水排出路９５から酸素混合洗浄水が供給され（図９の矢印参照）、酸素が歯垢に向けて拡散されるので、擦り落としにくい歯垢や掻き出しにくい歯垢の嫌気性細菌を死滅させる。
【００４３】
図１２及び図１３を参照して本発明の口腔衛生器具の第３の実施の形態である第１の振動スケーラ器具について説明する。第１の振動スケーラ器具は空気振動を用いてスケーラを振動させるタイプのものである。
【００４４】
第１の振動スケーラ器具１４９は、スケーラ本体１５１と、このスケーラ本体１５１に酸素を供給するための酸素装置６１と、スケーラ本体１５１に冷却水を供給するための冷却水供給装置１５３と、スケーラ本体１５１に振動用高圧エアを供給するためのエアコンプレッサ１５５と、を具備し、スケーラ本体１５１は、把持部１５７と、この把持部１５７の先端に接続された金属製のスケーラ１５９（針状部材）と、を備えている。酸素装置６１は、図８及び図９に示すものと同一の構成のものであり、酸素濃縮器６７又は酸素ボンベ６９を有し、酸素装置６１から延びる酸素供給チューブ７１は配管カプラ１６１を介して把持部１５７の後端部に接続されている。冷却水供給装置１５３は、洗浄水供給装置９９と同一の構成のものであり、冷却水タンク１６３と、この冷却水タンク１６３内の冷却水を冷却水供給チューブ１６５に送り出す冷却水ポンプ１６７を有し、冷却水ポンプ１６７には、例えば、並列に流量調整弁１６９が配置されていて、冷却水供給チューブ１６５は配管カプラ１６１を介して把持部１５７の後端部に接続されている。なお、冷却水タンク１６３の出口にも、例えば、別の流量調整弁１７１が設けられている。また、エアコンプレッサ１５５は圧縮エア供給チューブ１７３及び配管カプラ１６１を介して把持部１５７の後端部に接続されている。例えば、把持部１５７の後端部にエア調整回転環を設け、このエア調整回転環を回転操作して圧縮エア供給チューブ１７３から供給される圧縮エア量を調整できるように構成することが可能である。
【００４５】
把持部１５７のケーシング１７５（複数の部材又はセグメントを接続して構成することができる）内には、中心部にパイプ状の振動軸１７７が配置され、この振動軸１７７の外周に振動軸１７７との間で振動室１７９を形成するように区画壁１８１が設けられていて、区画壁１８１の外周にはエア戻り排気スペース１８３が形成されている。また、振動軸１７７の中心部には冷却水・酸素供給２重チューブ構造体１８５が構成され、この２重チューブ構造体１８５は振動軸１７７との間で、圧縮エア供給チューブ１７３と連通するエア供給路１８７を構成している。振動軸１７７にはエア噴出孔１８９が形成され、振動軸１７７の外周面にはエア噴出孔１８９位置でエア噴出孔１８９にかぶさるように振動環又は振動短筒（空気振動子）１９１が振動できるように又は緩く嵌められ、振動室１７９の先端側にはエア戻り排気スペース１８３に連通するように排気孔１９３が形成されていて、エア供給路１８７を通りエア噴出孔１８９から噴出する圧縮空気によって振動環１９１が振動軸１７７に対して又は振動軸１７７を中心として振動するように構成されている。エア噴出孔１８９から振動環１９１を振動させて振動室１７９に流れ込み、振動室１７９の排気孔１９３からエア戻り排気スペース１８３に入った圧縮空気は、例えば把持部１５７の後端部に設けた排気口１９５から排気される（図１３のケーシング１７５内の矢印参照）。
【００４６】
２重チューブ構造体１８５は、外側の冷却水通過チューブ１９７の内側に酸素通過チューブ１９９を配置して構成され、冷却水通過チューブ１９７と酸素通過チューブ１９９との間の冷却水通過路２０１は冷却水供給チューブ１６５に接続され、そして酸素通過チューブ１９９は酸素供給チューブ７１に接続されている。
【００４７】
配管カプラ１６１は把持部１５７の後端部に３つ設けられていて、それぞれの配管カプラ１６１は、把持部１５７の後端部に取り付けられた雌部材１９８と、チューブが接続された雄部材２００と、を接続することにより構成されている。エア供給路１８７に接続されている雌部材１９８には圧縮エア供給チューブ１７３が接続されている雄部材２００が連結され、酸素通過チューブ１９９が接続されている雌部材１９８には酸素供給チューブ７１が接続されている雄部材２００が連結され、冷却水通過路２０１に接続されている雌部材１９８には冷却水供給チューブ１６５が接続されている雄部材２００が連結されている。
【００４８】
金属製のスケーラ１５９は中空であり（後端側は中実）、後端部が把持部１５７の先端部にねじ込まれて接続された直線状に短く延びる基部２０３と、この基部２０３の先端部に一体的に又は接続して設けられた、基部２０３に対して角度を有して直線状に延びる頚部２０５と、この頚部２０５の先端からほぼ直角に曲がるように一体的に又は接続して設けられた先端部又は先端側部２０７と、を備えていて、基部２０３、頚部２０５及び先端部２０７はそれぞれ、先端側に向かって漸次細くなるように形成されている。スケーラ１５９内には、後端部から先端部まで延びるように酸素チューブ２０９が設けられ、この酸素チューブ２０９は酸素通過チューブ１９９に接続され、又は、酸素通過チューブ１９９と一体的に形成されていて、スケーラ１５９内の先端部又は先端側部２０７（先端部又は先端側部２０７の中間部）にはこの酸素チューブ２０９から酸素が供給される（酸素供給位置Ｄ参照）。スケーラ１５９の後端側では短い冷却水孔２１１が形成され、酸素チューブ２０９はこの短い冷却水孔２１１内を通過し、酸素チューブ２０９と冷却水孔２１１との間には両端開口の冷却水路２１３が形成されていて、この冷却水路２１３は冷却水通過路２０１に連なっている。したがって、スケーラ１５９内には冷却水路２１３の先端開口２１５からあるいは後端側から冷却水が供給される（破線矢印参照）。
【００４９】
スケーラ１５９の先端部２０７の先端と先端側周壁には酸素混合冷却水を排出する混合排出孔２１７（冷却水吐出口）が形成され、スケーラ１５９の先端部２０７の後端側周壁及び頚部２０５の先端側周壁には冷却水を排出する冷却排出孔２１９（冷却水用吐出口）が形成されている。すなわち、スケーラ１５９又はスケーラ１５９の先端側部２０７の先端部（先端から先端側部２０７の中央個所までの部分）には３つの混合排出孔２１７が形成され、スケーラ１５９又はスケーラ１５９の先端側部２０７の先端部よりも後側に２つの冷却排出孔２１９が形成されている。
【００５０】
このような構成の第１の振動スケーラ器具１４９は、例えばスケーラ１５９の先端部又は先端側部２０７あるいは先端部又は先端側部２０７の先端側を歯と歯の間や歯と歯茎の間の歯周ポケットに差し込み、歯垢を掻き出すようにして使用するものであるが、使用に際して振動環１９１のエアによる振動が、振動軸１７７を介してスケーラ１５９に伝わり、スケーラ１５９の先端部２０７が細かく振動する。また、先端部２０７の先端側又は先端側部２０７の先端部の混合排出孔２１７から酸素混合冷却水が排出され（図１２の白抜き矢印参照）、先端部又は先端側部２０７の後端側及び頚部２０５の先端側の冷却排出孔２１９から冷却水が排出される（図１２の黒塗り矢印参照）。なお、混合排出孔２１７は、例えば、先端部又は先端側部２０７の先端から８ｍｍ乃至１１ｍｍの範囲に形成される。
【００５１】
図１４を参照して第１の振動スケーラ器具１４９の変形例を説明する。
【００５２】
第１の振動スケーラ器具１４９の変更例２２１は、酸素と冷却水を別々に把持部１５７に供給し、把持部１５７内を通過させるのに代えて、酸素を冷却水に予め混合して把持部１５７の後端部に供給するものであるが、その他の構成については第１の振動スケーラ器具１４９と同一であるので、第１の振動スケーラ器具１４９の説明及び図面を第１の振動スケーラ器具１４９の変更例２２１に適用できる。
【００５３】
酸素と冷却水とを予め混合するには酸素混合用Ｔ字コネクタ１０１が使用される。酸素混合用Ｔ字コネクタ１０１は図９、図１０及び図１１に示されている酸素混合用Ｔ字コネクタ１０１と同一の構成であるので、手動スケーラ器具の変更例９７の酸素混合用Ｔ字コネクタ１０１の説明及び図面を第１の振動スケーラ器具の変更例２２１の酸素混合用Ｔ字コネクタ１０１の説明に適用できる。
【００５４】
図８、図９及び図１２に示すものと同一の構成の、酸素濃縮器６７又は酸素ボンベ６９を有する酸素装置６１から延びる酸素供給チューブ７１を、酸素混合用Ｔ字コネクタ１０１の混合部１１５の第３の接続部１１３に接続し、図１２に示すものと同一の構成の冷却水供給装置１５３の冷却水ポンプ１６７から延びる冷却水供給チューブ１６５を直管部１１１の第１の接続部１０５に接続するとともに、直管部１１１の第２の接続部１０９に接続した酸素混合冷却水チューブ２２３を中央の配管カプラ１６１の雄部材２００に接続し、把持部１５７の２重チューブ構造体１８５の酸素通過チューブ１９９に接続されている中央の配管カプラ１６１の雌部材１９８にこの雄部材２００を接続する。酸素混合冷却水チューブ２２３は内径６ｍｍ乃至１２ｍｍとすることができる。把持部１５７の構成は第１の振動スケーラ器具１４９の把持部１５７と同一であるので、第１の振動スケーラ器具１４９の把持部１５７の説明及び図面を第１の振動スケーラ器具の変更例２２１の把持部１５７に適用できる。ここでは、配管カプラ１６１が一つ空くので（例えば冷却水通過路２０１に対応する配管カプラ１６１が空く）、振動環１９１を振動させるのに使用した圧縮エアをこの配管カプラ１６１から排出できるように構成してもよい。例えば、この配管カプラ１６１に切り替えスイッチを設けておき、図１２のようにこの配管カプラ１６１に冷却水供給チューブ１６５を接続する場合には、切り替えスイッチを操作して冷却水が冷却水通過路２０１に供給されるようにし、図１４のようにこの配管カプラ１６１を空にする場合には、切り替えスイッチを操作してエア戻り排気スペース１８３からの空気がこの配管カプラ１６１から排出されるようにすることができる。第１の振動スケーラ器具の変形例２２１ではスケーラ１５９（第１の振動スケーラ器具１４９のスケーラと同じ構成）の先端部又は先端側部２０７の後端側及び頚部２０５の先端側の冷却排出孔２１９からも混合排出孔２１７と同様に酸素混合冷却水が排出される。ここでは、冷却水路２１３の先端開口２１５から冷却水は供給されず、酸素チューブ２０９から酸素混合冷却水が供給される。ここでは酸素通過チューブ１９９及び酸素チューブ２０９はそれぞれ、酸素混合冷却水通過チューブ１９９及び酸素混合冷却水チューブ２０９として機能する。酸素混合冷却水通過チューブ１９９及び酸素混合冷却水チューブ２０９は内径（直径）１．６ｍｍ乃至６．０ｍｍとすることができる。
【００５５】
図１５及び図１６を参照して本発明の口腔衛生器具の第４の実施の形態である第２の振動スケーラ器具について説明する。第２の振動スケーラ器具は超音波振動を用いてスケーラを振動させるタイプのものである。
【００５６】
第２の振動スケーラ器具２２５は、スケーラ本体２２７と、このスケーラ本体２２７に酸素を供給するための酸素装置６１と、スケーラ本体２２７に冷却水を供給するための冷却水供給装置１５３と、スケーラ本体２２７に配線又はケーブル２２９で接続された振動用制御部又は振動用信号入力部２３１（例えば電源は図示せず）と、を具備し、スケーラ本体２２７は、把持部２３３と、この把持部２３３の先端に接続された金属製のスケーラ１５９と、を備えている。酸素装置６１は、図１２に示すものと同一の構成のものであり、酸素濃縮器６７又は酸素ボンベ６９を有し、酸素装置６１から延びる酸素供給チューブ７１は配管カプラ１６１を介して把持部２３３の後端部に接続されている。冷却水供給装置１５３は、図１２に示すものと同一の構成のものであり、冷却水タンク１６３と冷却水ポンプ１６７とを有し、冷却水ポンプ１６７から延びる冷却水供給チューブ１６５は配管カプラ１６１を介して把持部２３３の後端部に接続されている。振動用制御部２３１から延びる配線２２９は配線カプラ２３５を介して把持部２３３内の超音波振動子２３７からの配線２４５と接続されている。金属製のスケーラ１５９は、図１２に示すものと同一の構成のものであり、同一の構成個所には同一の符号を付して説明を省略したり簡略化したりする。なお、冷却水に代えて洗浄水を供給するようにしてもよい。
【００５７】
把持部２３３のケーシング１７５内には、中心部にパイプ状の振動軸２３９が配置され、この振動軸２３９の外周に振動軸２３９をＯリングを介して支える支持壁２４１が設けられている。把持部２３３は図１２に示す把持部１５７と同一の構造部分を有しているので、同一の構造部分には同一の符号を付して説明を省略したり簡略化したりする。振動軸２３９の中心部には冷却水・酸素供給２重チューブ構造体１８５が構成されている。また、振動軸２３９の外周面にはリング状の超音波振動子（ピエゾ圧電素子）２３７が嵌め付けられ固定されている。あるいは、振動軸２３９を前後に分割し、前側の振動軸部分及び後側の振動軸部分の間に超音波振動子を嵌め付けておいてもよい。
【００５８】
配管カプラ１６１は把持部２３３の後端部に２つ設けられていて、それぞれの配管カプラ１６１は、把持部２３３の後端部に取り付けられた雌部材１９８と、チューブが接続された雄部材２００と、を接続することにより構成されている。酸素通過チューブ１９９が接続されている雌部材１９８には酸素供給チューブ７１が接続されている雄部材２００が連結され、冷却水通過路２０１に接続されている雌部材１９８には冷却水供給チューブ１６５が接続されている雄部材２００が連結されている。また、配線カプラ２３５は把持部２３３の後端部に１つ設けられていて、把持部２３３の後端部に取り付けられ、把持部２３３内の超音波振動子２３７からの配線２４５が接続されている雌部材２０２と、振動用制御部２３１から延びる配線２２９が接続されている雄部材２００と、を接続することにより構成されている。
【００５９】
このような構成の第２の振動スケーラ器具２２５は、例えばスケーラ１５９の先端部又は先端側部２０７あるいは先端部又は先端側部２０７の先端側を歯と歯の間や歯と歯茎の間の歯周ポケットに差し込み、歯垢を掻き出すようにして使用するものであるが、使用に際して超音波振動子２３７の超音波振動が、振動軸２３９を介してスケーラ１５９に伝わり、スケーラ１５９の先端部２０７が細かく振動する。また、先端部２０７の先端側又は先端側部２０７の先端部の混合排出孔２１７（冷却水吐出口）から酸素混合冷却水が排出され（図１５の白抜き矢印参照）、先端部又は先端側部２０７の後端側及び頚部２０５の先端側の冷却排出孔２１９（冷却水用吐出口）から冷却水が排出される（図１５の黒塗り矢印参照）。
【００６０】
図１７を参照して第２の振動スケーラ器具２２５の変形例を説明する。
【００６１】
第２の振動スケーラ器具２２５の変更例２４７は、酸素と冷却水を別々に把持部２３３に供給し、把持部２３３内を通過させるのに代えて、酸素を冷却水に予め混合して把持部２３３の後端部に供給するものであるが、その他の構成については第２の振動スケーラ器具２２５と同一であるので、第２の振動スケーラ器具２２５の説明及び図面を第２の振動スケーラ器具の変更例２４７に適用できる。
【００６２】
酸素と冷却水とを混合するには酸素混合用Ｔ字コネクタ１０１が使用されている。酸素混合用Ｔ字コネクタ１０１は図１０、図１１及び図１４に示されている酸素混合用Ｔ字コネクタ１０１と同一の構成であるので、図１０、図１１及び図１４に示されている酸素混合用Ｔ字コネクタ１０１の説明及び図面を第２の振動スケーラ器具の変更例２４７の酸素混合用Ｔ字コネクタ１０１の説明に適用できる。
【００６３】
酸素装置６１は、図１４及び図１５に示すものと同一の構成のものであり、酸素濃縮器６７又は酸素ボンベ６９を有し、酸素装置６１から延びる酸素供給チューブ７１は、酸素混合用Ｔ字コネクタ１０１の混合部１１５の第３の接続部１１３に接続されている。冷却水供給装置１５３は、図１４及び図１５に示すものと同一の構成のものであり、冷却水タンク１６３と冷却水ポンプ１６７とを有し、冷却水ポンプ１６７から延びる冷却水供給チューブ１６５は直管部１１１の第１の接続部１０５に接続されている。直管部１１１の第２の接続部１０９に接続した酸素混合冷却水チューブ２２３（図１４に示すものと同一）は、２重チューブ構造体１８５の酸素通過チューブ１９９に接続されるように配管カプラ１６１に接続されている。また、振動用制御部２３１から延びる配線２２９は、超音波振動子２３７から延びる配線２４５と接続されるように配線カプラ２３５に接続されている。ここでは、配管カプラ１６１が一つ空く（例えば冷却水通過路２０１に対応する配管カプラ１６１が空く）。
【００６４】
第２の振動スケーラ器具の変形例２４７ではスケーラ１５９の先端部２０７の後端側及び頚部２０５の先端側の冷却排出孔２１９からも混合排出孔２１７と同様に酸素混合冷却水が排出される。ここでは、冷却水路２１３の先端開口２１５から冷却水は供給されず、酸素チューブ２０９から酸素混合冷却水が供給される。ここでは酸素通過チューブ１９９及び酸素チューブ２０９はそれぞれ、酸素混合冷却水通過チューブ１９９及び酸素混合冷却水チューブ２０９として機能する。酸素混合冷却水通過チューブ１９９及び酸素混合冷却水チューブ２０９は内径（直径）１．６ｍｍ乃至６．０ｍｍとすることができる。
【００６５】
符号の説明
１            歯ブラシ器
５            酸素ボンベ（酸素供給源）
３３            刷毛（線状部材）
５７            手動スケーラ器具
６１            酸素ボンベ装置（酸素供給源）
８９            先端酸素排出路（酸素吐出口）
９３            エッジ酸素排出路（酸素吐出口）
９５            底面酸素排出路（酸素吐出口）
９７            手動スケーラ器具の変更例
１４９            第１の振動スケーラ器具
１５９            金属製のスケーラ
２２１            第１の振動スケーラ器具の変更例
２２５            第２の振動スケーラ器具
２４７            第２の振動スケーラ器具の変更例
【図１】
2020203062.tif 000003
【図２】
2020203062.tif 000004
【図３】
2020203062.tif 000005
【図４】
2020203062.tif 000006
【図５】
2020203062.tif 000007
【図６】
2020203062.tif 000008
【図７】
2020203062.tif 000009
【図８】
2020203062.tif 000010
【図９】
2020203062.tif 000011
【図１０】
2020203062.tif 000012
【図１１】
2020203062.tif 000013
【図１２】
2020203062.tif 000014
【図１３】
2020203062.tif 000015
【図１４】
2020203062.tif 000016
【図１５】
2020203062.tif 000017
【図１６】
2020203062.tif 000018
【図１７】
2020203062.tif 000019
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
口腔衛生器具であって、
歯と歯の間又は歯と歯茎の間に差し込んで歯垢を掻き出すための中空の線状部材又は針状部材と、
前記線状部材又は針状部材の先端に設けられた冷却水吐出口又は洗浄水吐出口と、
前記冷却水吐出口又は洗浄水吐出口から冷却水又は洗浄水が口腔内に吐出されるように前記線状部材又は針状部材に冷却水又は洗浄水を供給する冷却水供給源又は洗浄水供給源と、
前記線状部材又は針状部材の前記冷却水吐出口又は洗浄水吐出口から酸素を口腔内に供給するための酸素供給源と、
前記酸素供給源に接続され、前記線状部材又は針状部材の先端部まで延びるように前記線状部材又は針状部材の内部に設けられた、先端から前記線状部材又は針状部材内に酸素を供給する酸素チューブと、
前記冷却水供給源又は洗浄水供給源に接続され、前記線状部材又は針状部材の後端側に設けられた、前記線状部材又は針状部材内に冷却水又は洗浄水を供給する開口と、を備えることを特徴とする口腔衛生器具。
【請求項２】
前記線状部材又は針状部材の先端部には、前記冷却水吐出口又は洗浄水吐出口よりも後方に複数の冷却水排出口又は洗浄水排出口が前後方向に間隔を設けて形成されている、ことを特徴とする請求項1記載の口腔衛生器具。
【請求項３】
前記冷却水排出口又は洗浄水排出口は、前記酸素チューブの先端よりも前側から後側にかけて形成されている、ことを特徴とする請求項２記載の口腔衛生器具。
【請求項４】
口腔衛生器具であって、
歯と歯の間又は歯と歯茎の間に差し込んで歯垢を掻き出すための線状部材又は針状部材と、
前記線状部材又は針状部材の先端部から酸素を口腔内に供給するための酸素供給源と、
前記線状部材又は針状部材の先端部に設けられた冷却水吐出孔又は洗浄水吐出孔と、
前記冷却水吐出孔又は洗浄水吐出孔から冷却水又は洗浄水が口腔内に吐出されるように前記線状部材又は針状部材に冷却水又は洗浄水を供給する冷却水供給源又は洗浄水供給源と、
前記酸素供給源及び前記冷却水供給源又は洗浄水供給源と、前記線状部材又は針状部材との間に配置されたコネクタと、を備え、
前記コネクタは、前記冷却水供給源又は洗浄水供給源に連なる第１の接続部と、前記線状部材又は針状部材に連なる第２の接続部と、前記第１の接続部及び前記第２の接続部の間に構成された、冷却水又は洗浄水が通過するベンチュリーと、前記酸素供給源に連なり、前記ベンチュリーに連通する第３の接続部と、を有していて、
前記酸素供給源は、前記ベンチュリーに前記酸素を供給して前記ベンチュリーを流れる前記冷却水又は洗浄水に前記酸素を吸引混合する、ことを特徴とする口腔衛生器具。
【請求項５】
前記コネクタは、前記ベンチュリーから前記第３の接続部側に冷却水又は洗浄水が逆流するのを防止する逆止弁を有している、ことを特徴とする請求項４記載の口腔衛生器具。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
口腔衛生器具であって、
歯と歯の間又は歯と歯茎の間に差し込んで歯垢を掻き出すための中空の線状部材又は針状部材と、
前記線状部材又は針状部材の先端に設けられた冷却水吐出口又は洗浄水吐出口と、
前記冷却水吐出口又は洗浄水吐出口から冷却水又は洗浄水が口腔内に吐出されるように前記線状部材又は針状部材に冷却水又は洗浄水を供給する冷却水供給源又は洗浄水供給源と、
前記線状部材又は針状部材の前記冷却水吐出口又は洗浄水吐出口から酸素を口腔内に供給するための酸素供給源と、
前記酸素供給源に接続され、前記線状部材又は針状部材の先端部の、前記冷却水吐出口又は洗浄水吐出口よりも後側の位置まで延びるように前記線状部材又は針状部材の内部に外周に隙間を有して差し込まれた状態で設けられた、先端から前記線状部材又は針状部材内の冷却水又は洗浄水に酸素を供給して混合する酸素チューブと、
前記冷却水供給源又は洗浄水供給源に接続され、前記線状部材又は針状部材の後端側に設けられた、前記線状部材又は針状部材内の前記酸素チューブとの間に冷却水又は洗浄水を供給する開口と、を備えることを特徴とする口腔衛生器具。
【請求項２】
前記線状部材又は針状部材の先端部には、前記冷却水吐出口又は洗浄水吐出口よりも後方に複数の冷却水排出口又は洗浄水排出口が前後方向に間隔を設けて形成されている、ことを特徴とする請求項1記載の口腔衛生器具。
【請求項３】
前記冷却水排出口又は洗浄水排出口は、前記酸素チューブの先端よりも前側から後側にかけて形成されている、ことを特徴とする請求項２記載の口腔衛生器具。